(57)【要約】【課題】種々の条件下でスイッチング電源装置の特性を最適にする。【解決手段】Ａ／Ｄ変換器２１，Ｄ／Ａ変換器２３とともにクロックパルスによって同期して動作するデジタルフィルタ２２によって、ＤＣ変換部１０の出力電圧をの移動平均が算出され、得られる結果と設定電圧を比較してスイッチング素子１２のオン時間とオフ時間の比率を調節する。Ａ／Ｄ変換器２１，デジタルフィルタ２２，Ｄ／Ａ変換器２３に入力するクロックパルスは、負荷変動がほとんどない場合には通常クロック周波数のものが、電源装置２のい起動時、負荷変動があるときには通常クロック周波数よりも周波数が高い高速クロック周波数を用いて、電源装置２の周波数特性、応答性を変える。【選択図】        図１
2005020886.tif 000002
【特許請求の範囲】
【請求項１】
スイッチング素子のオン，オフによって電源からの電圧を変圧して出力電圧として負荷回路に給電するＤＣ変換部と、このＤＣ変換部からの出力電圧に基づきスイッチング素子のオン時間とオフ時間の比率を制御し、出力電圧を安定化させるフィードバック制御部とを備えたスイッチング電源装置において、
前記フィードバック制御部は、クロックパルスの入力毎に出力電圧をサンプリングしてデジタル変換して出力するＡ／Ｄ変換器と、クロックパルスの入力毎にＡ／Ｄ変換器からの出力を取り込んで演算結果を出力するローパスフィルタとしてのデジタルフィルタと、クロックパルスの入力毎にデジタルフィルタからの出力をアナログ電圧に変換するＤ／Ａ変換器と、Ｄ／Ａ変換器からのアナログ電圧と予め設定された設定電圧値との差に基づいてスイッチング素子のオン時間とオフ時間の比率を調節するＰＷＭ変調手段と、周波数の異なるクロックパルスを選択的に発生し、クロックパルスをＡ／Ｄ変換器，デジタルフィルタ及びＤ／Ａ変換器に送出するクロック発生手段と、出力電圧の変更時，変動時に相対的に高い周波数のクロックパルスをクロック発生手段に発生させ、フィードバック制御部の応答性を変化させる周波数制御手段とを備えることを特徴とするスイッチング電源装置。
【請求項２】
スイッチング素子のオン，オフによって電源からの電圧を変圧して出力電圧として負荷回路に給電するＤＣ変換部と、このＤＣ変換部からの出力電圧に基づきスイッチング素子のオン時間とオフ時間の比率を制御し、出力電圧を安定化させるフィードバック制御部とを有するスイッチング電源装置と、負荷回路を制御する制御手段とを備えた電子機器において、
前記フィードバック制御部は、クロックパルスの入力毎に出力電圧をサンプリングしてデジタル変換して出力するＡ／Ｄ変換器と、クロックパルスの入力毎にＡ／Ｄ変換器からの電圧データを取り込んで演算結果を出力するローパスフィルタとしてのデジタルフィルタと、クロックパルスの入力毎にデジタルフィルタからの出力をアナログ電圧に変換するＤ／Ａ変換器と、Ｄ／Ａ変換器からのアナログ電圧と予め設定された設定電圧値との差に基づいてスイッチング素子のオン時間とオフ時間の比率を調節するＰＷＭ変調手段と、周波数の異なるクロックパルスを選択的に発生し、クロックパルスをＡ／Ｄ変換器，デジタルフィルタ及びＤ／Ａ変換器に送出するクロック発生手段とを備え、
前記制御手段は、前記負荷回路の動作に応じてクロック発生手段が発生するクロックパルスの周波数を変更し、スイッチング電源装置の特性を変化させることを特徴とする電子機器。
【発明の詳細な説明】
【０００１】
【発明の属する技術分野】
本発明は、スイッチング電源装置及びそれを用いた電子機器に関するものである。
【０００２】
【従来の技術】
トランジスタを繰り返しオン・オフさせ、そのオン・オフの時間の比率を変えることによって、直流の出力電圧の安定化させるスイッチング電源装置が知られており、電力変換効率が良く、また小型・軽量化が可能なため広く普及している。
【０００３】
スイッチング電源装置の一般的な構成を図５に示す。図示されるスイッチング電源装置は、スイッチング素子４０，インダクタ４１，ダイオード４２，コンデンサ４３からなるＤＣ変換部と、ローパスフィルタ４５，誤差アンプ４６，ＰＷＭ（パルス幅変調）回路４７からなるフィードバック制御部とから構成される。ＤＣ変換部は、いわゆるブーストコンバータと呼ばれるものであって、スイッチング素子４０がオン・オフされることにより、負荷５０が接続された出力端子間に電源の出力電圧Ｖｉｎを昇圧した出力電圧Ｖｏｕｔを出力する。
【０００４】
フィードバック制御部は、出力電圧Ｖｏｕｔを監視して、一定な出力電圧Ｖｏｕｔとなるようにスイッチング素子４０のオン時間・オフ時間の比率を制御する。出力電圧Ｖｏｕｔは、ローパスフィルタ４５により、所定の周波数（遮断周波数）以上の電圧変動成分がカットされて誤差アンプ４６に入力される。
【０００５】
誤差アンプ４６は、設定電圧Ｖｒｅｆが入力されており、ローパスフィルタ４５からの出力電圧Ｖｏｕｔと設定電圧Ｖｒｅｆとの差に応じた誤差信号を出力する。ＰＷＭ回路４７は、出力電圧Ｖｏｕｔと設定電圧Ｖｒｅｆとの差が「０」となるように、誤差信号に基づいてスイッチング素子４０のオン時間とオフ時間の比率、すなわち、スイッチング素子４０を駆動する駆動信号のデューティ比を制御する。このようにスイッチング素子４０のオン時間とオフ時間の比率をフィードバック制御することにより、負荷変動などで負荷電流が変動した場合であっても、出力電圧Ｖｏｕｔが設定電圧Ｖｒｅｆと同じ電圧に保たれるようにしている。
【０００６】
また、出力電圧をＡ／Ｄ変換した結果に基づいてＰＩＤ制御やΔΣ演算等により、スイッチング素子４０のオン時間とオフ時間の比率を制御するように、フィードバック制御するものも知られている（例えば、特許文献１参照）。
【０００７】
【特許文献１】
特許第３１９１２７５号公報
【０００８】
【発明が解決しようとする課題】
ところで、上記のローパスフィルタは、フィードバック制御の安定性を確保するためのものであるが、これの応答性を低くすれば、すなわち遮断周波数を低く設定すれば、電気的なノイズの影響を受けにくくすることができる。しかし、応答性を低くすると、出力電圧を変更した時た負荷が急変した際に、フィードバック制御の遅延やその変動が検出されないなどの理由によって、設定された電圧に達するまでに時間がかかったり、出力電圧の変動が補正されないなどの現象が発生してしまうという問題があった。従来のスイッチング電源装置のローパスフィルタは、インダクタ，抵抗，コンデンサなどを用いた積分回路と呼ばれるものが用いられており、インダクタ，抵抗，コンデンサなどの回路定数が固定されているので応答性を変化させることはできなかった。
【０００９】
また、特許文献１では、デジタルデータを用いてフィードバック制御を行う構成も記載されているが、上記のようなスイッチング電源装置の特性については触れられていない。
【００１０】
本発明は、上記問題点を考慮してなされたもので、種々の条件下に最適な特性とすることができるスイッチング電源装置及び電子機器を提供することを目的とする。
【００１１】
【課題を解決するための手段】
上記目的を達成するために、請求項１記載のスイッチング電源装置では、フィードバック制御部を、クロックパルスの入力毎に出力電圧をサンプリングしてデジタル変換して出力するＡ／Ｄ変換器と、クロックパルスの入力毎にＡ／Ｄ変換器からの出力を取り込んで演算結果を出力するローパスフィルタとしてのデジタルフィルタと、クロックパルスの入力毎にデジタルフィルタからの出力をアナログ電圧に変換するＤ／Ａ変換器と、Ｄ／Ａ変換器からのアナログ電圧と予め設定された設定電圧値との差に基づいてスイッチング素子のオン時間とオフ時間の比率を調節するＰＷＭ変調手段と、周波数の異なるクロックパルスを選択的に発生し、クロックパルスをＡ／Ｄ変換器，デジタルフィルタ及びＤ／Ａ変換器に送出するクロック発生手段と、出力電圧の変更時，変動時に相対的に高い周波数のクロックパルスをクロック発生手段に発生させ、フィードバック制御部の応答性を変化させる周波数制御手段とを備えるようにしたものである。
【００１２】
請求項２記載の電子機器では、フィードバック制御部を、クロックパルスの入力毎に出力電圧をサンプリングしてデジタル変換して出力するＡ／Ｄ変換器と、クロックパルスの入力毎にＡ／Ｄ変換器からの電圧データを取り込んで演算結果を出力するローパスフィルタとしてのデジタルフィルタと、クロックパルスの入力毎にデジタルフィルタからの出力をアナログ電圧に変換するＤ／Ａ変換器と、Ｄ／Ａ変換器からのアナログ電圧と予め設定された設定電圧値との差に基づいてスイッチング素子のオン時間とオフ時間の比率を調節するＰＷＭ変調手段と、周波数の異なるクロックパルスを選択的に発生し、クロックパルスをＡ／Ｄ変換器，デジタルフィルタ及びＤ／Ａ変換器に送出するクロック発生手段とを備えるようにし、
負荷回路を制御する制御手段を、前記負荷回路の動作に応じてクロック発生手段が発生するクロックパルスの周波数を変更し、スイッチング電源装置の特性を変化させるようにしたものである。
【００１３】
【発明の実施の形態】
本発明を実施したデジタルカメラの構成を図１に示す。スイッチング電源装置（以下。電源装置と称する）２は、デジタルカメラの各部に給電する。負荷回路としての撮影機構３は、イメージセンサによる被写体像の撮影，メモリカードへの画像データの記録のための各種回路、電子ビューファインダとして機能するＬＣＤやこれを駆動するための回路，撮影レンズのフォーカシングやズーミングを行うための装置等から構成されており、これらは電源装置２からの給電を受けて動作する。
【００１４】
システムコントローラ４は、操作部５からの操作信号に応じて電源装置２及び撮影機構３を制御する。操作部５は、これを操作することにより、デジタルカメラの電源のオン・オフ、シャッタレリーズ（撮影指示）、ズーミング等の指示を行うことができ、その操作に応じた操作信号を出力する。システムコントローラ４は、操作部８の操作により、電源のオンが指示されると電源装置２を起動して、撮影機構３に給電を開始する。なお、システムコントローラ４は、電池６から微弱電流の供給を受けて電源のオフのときにも作動しており、電源のオン操作を監視している。
【００１５】
電源装置２は、ＤＣ変換部１０とフィードバック制御部２０とから構成されている。ＤＣ変換部１０は、電池６，インダクタ１１，スイッチング素子１２，ダイオード１３，コンデンサ１４からなる。このＤＣ変換部１０は、いわゆるブスート・コンバータであり、スイッチング素子１２をオン・オフして、インダクタ１１に電池６からの電流を断続的に流すことにより、電池６からの電源電圧Ｖｉｎを昇圧した出力電圧Ｖｏｕｔを出力する。出力電圧Ｖｏｕｔは、前述のように撮影機構３に供給される。
【００１６】
なお、本発明を実施する上では、ＤＣ変換部１０は、スイッチング素子のオン時間・オフ時間の比率によって出力電圧が制御されるものであれば、ブーストコンバータに限らず各種回路形式を採用することができる。
【００１７】
フィードバック制御部２０は，Ａ／Ｄ変換器２１，デジタルフィルタ２２，Ｄ／Ａ変換器２３，誤差アンプ２４，ＰＷＭ回路２５，クロック発生器２６から構成されている。Ａ／Ｄ変換器２１は、ＤＣ変換部１０の出力電圧Ｖｏｕｔをサンプリングし、それをデジタル変換した出力電圧データＤｏｕｔを出力する。
【００１８】
デジタルフィルタ２２には、Ａ／Ｄ変換器２１からの出力電圧データＤｏｕｔが入力される。このデジタルフィルタ２２は、詳細を後述するが、順次入力される出力電圧データＤｏｕｔに対してデジタル演算によって重み付けを行った移動平均を求めることによりローパスフィルタとして機能する。デジタルフィルタ２２での演算結果は、移動平均電圧データＤｆとしてＤ／Ａ変換器２３に送られる。Ｄ／Ａ変換器２３は、移動平均電圧データＤｆをアナログの電圧（以下、移動平均電圧という）Ｖｆに変換する。
【００１９】
誤差アンプ２４の一方の入力端子には、移動平均電圧Ｖｆが、他方の入力端子には設定電圧Ｖｒｅｆがそれぞれ入力される。この誤差アンプ２４は、移動平均電圧Ｖｆと設定電圧Ｖｒｅｆとの差（Ｖｆ−Ｖｒｅｆ）に応じた誤差信号を出力する。設定電圧Ｖｒｅｆは、撮影機構３に給電すべき電圧と同じにされている。
【００２０】
ＰＷＭ回路２５は、誤差アンプ２４とともにＰＷＭ変調手段を構成し、誤差信号に応じてオン時間とオフ時間の比率を調節してスイッチング素子１２を駆動する。このＰＷＭ回路２５は、誤差信号に示される移動平均電圧Ｖｆと設定電圧Ｖｒｅｆとの差が「０」となるように、スイッチング素子１２のオン時間とオフ時間の比率を調節する。具体的には、移動平均電圧Ｖｆが設定電圧Ｖｒｅｆよりも高いときは、スイッチング素子１２のオフ時間に対するオン時間を短く（デューティ比を小さく）し、低いときはスイッチング素子１２のオフ時間に対するオン時間を長く（デューティ比を大きく）する。このようにして、スイッチング素子１２のオン時間とオフ時間の比率を調節することで、出力電圧Ｖｏｕｔが設定電圧Ｖｒｅｆと同じになるようにする。
【００２１】
クロック発生器２６は、Ａ／Ｄ変換器２１，デジタルフィルタ２２，Ｄ／Ａ変換器２３にクロックパルスを送出し、これらを同期させて作動させる。このクロック発生器２６は、後述するようにシステムコントローラ４の制御によりクロックパルスの周波数（以下クロック周波数という）が制御される。なお、ＰＷＭ回路２５をクロックパルスによって、Ａ／Ｄ変換器２１，デジタルフィルタ２２，Ｄ／Ａ変換器２３と同期させて動作する構成とした場合には、このＰＷＭ回路２５にもクロックパルスを送出する。
【００２２】
Ａ／Ｄ変換器２１は、クロックパルスの入力毎に，出力電圧Ｖｏｕｔをサンプリングした結果を出力電圧データＤｏｕｔとし出力する。デジタルフィルタ２２は、クロックパルスの入力毎に，Ａ／Ｄ変換器２１からの出力電圧データＤｏｕｔを取り込みその結果得られるを移動平均電圧データＤｆを出力する。Ｄ／Ａ変換器２２は、クロックパルスが入力される毎に、デジタルフィルタ２２から出力される移動平均電圧データＤｆを取り込んでアナログの移動平均電圧Ｖｆに変換して出力する。
【００２３】
上記デジタルフィルタ２２の構成を図２に示す。デジタルフィルタ２２は、乗算器３１ａ〜３１ｃ  と、遅延器３２ａ，３２ｂと、加算器３３とから構成される。乗算器３１ａ，３１ｃは、それぞれ入力される出力電圧データＶｏｕｔに値「１／４」を乗算して出力し、乗算器３１ｂは、値「１／２」を乗算して出力する。各遅延器３２ａ，３２ｂは、入力される出力電圧データＤｏｕｔを１クロックパルス分遅らせて出力する。乗算器３１ａと遅延器３２ａには、Ａ／Ｄ変換器２１から出力電圧データＤｏｕｔが入力され、乗算器３１ｂと遅延器３２ｂとには、遅延器ａから出力電圧データＤｏｕｔが入力される。また、乗算器３１ｃには、遅延器３２ｂからの出力電圧電圧データＤｏｕｔが入力される。加算器は、上記の各乗算器３１ａ〜３１ｃの乗算結果を加算し、移動平均電圧データＤｆとして出力する。
【００２４】
このように構成されたデジタルフィルタ２２は、クロック周波数に応じた遮断周波数・応答性を有するローパスフィルタとして機能する。そして、本発明では、デジタルフィルタ２２に入力するクロック周波数を変化させることでデジタルフィルタの特性を変化させ、デジタルカメラの動作に最適な応電源装置２の特性を得ている。なお、デジタルフィルタ２２の構成は、クロック周波数によって遮断周波数、応答性が変化するものであれば図２に示されるものに限らない。また、デジタルフィルタ２２が行う演算はハード的に行ってもよく、ソフト的に行ってもよい。
【００２５】
システムコントローラ４は、コントロール信号によってクロック発生器２６を制御して、撮影機構３の動作に応じたクロック周波数に切り換える。クロック周波数は、デジタルフィルタ２２に送出されるクロックパルスの他、デジタルフィルタ２２に同期させてＡ／Ｄ変換器２１，Ｄ／Ａ変換器２２を動作させるために、これらへのクロックパルスについても同時にクロック周波数が切り換えられる。この例では、クロック発生器２６は、周波数が低い通常クロック周波数と、この通常クロック周波数よりも周波数が高い高速クロック周波数との２種類のクロックパルスを選択的に出力し、高速クロック周波数は通常クロック周波数の２倍となっている。
【００２６】
撮影機構３の動作が一定しており負荷電流がほとんど変動しない、すなわち負荷変動がほとんどないような通常時では、クロック発生器２６は通常クロック周波数でクロックパルスを発生し、デジタルフィルタ２２の遮断周波数を下げる。すなわち、図３のグラフに実線で示すように、デジタルフィルタ２２が透過する周波数域を低周波側にシフトして、電気的なノイズによる影響を低減し、フィードバック制御部２０によるフィードバック制御を安定させる。これにより、電源装置２からの出力電圧Ｖｏｕｔの安定化を図る。
【００２７】
一方、フィードバック制御に高速な応答性が要求されるとき、すなわち出力電圧の変更時，変動時には、クロック発生器２６は高速クロック周波数でクロックを発生し、デジタルフィルタ２２を含むフィードバック制御部２０の応答性を高くする。すなわち、スイッチング素子１２のオン時間とオフ時間の調節間隔となるクロックパルスの入力間隔を短くすることによって、フィードバック制御部２０の応答性を高くし、出力電圧を速やかに設定電圧とし、電圧変動を速やかに解消させる。また、高速クロック周波数を用いた場合には、図３のグラフで破線で示すように、デジタルフィルタ２２が透過する周波数域を高周波側にシフトされることにより、負荷が急変した場合にも、それによる出力電圧Ｖｏｕｔの変動を検出可能となり，フィードバック制御をより好ましいものとなる。
【００２８】
この例における出力電圧Ｖｏｕｔの変更時としては、出力電圧Ｖｏｕｔを０Ｖから設定電圧Ｖｒｅｆと同じ大きさにする電源装置２を起動時がある。また、出力電圧Ｖｏｕｔの変動時としては、負荷変動が生じるとき、すなわち負荷回路としての撮影機構３が何らかの動作を開始したときや、その動作を停止したときがある。システムコントローラ４は、電源装置２を起動時にはそれと同時に、負荷変動時には、それに先立ってクロック周波数を高速クロック周波数に切り換える。
【００２９】
なお、電源装置２の起動は、操作部５の操作に応答してシステムコントローラ４に制御されて行われる。また、負荷変動は、撮影機構３の動作の開始や停止，動作自体によるものであり、撮影機構３の動作は、操作部５の操作に応答してシステムコントローラ４によって制御されている。したがって、システムコントローラ４は、電源装置２の起動時にはそれと同時に、また負荷変動が生じるときには事前にクロック周波数を高くすることができる。
【００３０】
次に上記構成の作用について図４を参照しながら説明する。操作部５が操作されて、電源のオンが指示されると、電源装置２を起動させるとともに、Ｌレベルのコントロール信号によってクロック発生器２６に高速クロック周波数の発生を指示する。
【００３１】
電源装置２が起動されると、スイッチング素子１２が繰り返しオン・オフされ、電池６の出力電圧ＶｉｎがＤＣ変換部２０によって昇圧され、出力電圧Ｖｏｕｔとして出力される。
【００３２】
一方、クロック発生器２６からは高速クロック周波数のクロックパルスが発生され、そのクロックパルスが送出されることにより、出力電圧ＶｏｕｔがＡ／Ｄ変換器２１によってサンプリングされて出力電圧データＤｏｕｔとして出力され、この出力電圧データＤｏｕｔを用いてデジタルフィルタ２２による移動平均電圧データＤｆの算出が行われる。続いて移動平均電圧データＤｆがＤ／Ａ変換器２３によって移動平均電圧Ｖｆに変換されて誤差アンプ２４に入力される。そして、誤差アンプ２４からは、移動平均電圧Ｖｆ、すなわちローパスフィルタとしてのデジタルフィルタ２２を通した出力電圧Ｖｏｕｔと設定電圧Ｖｒｅｆとの差に応じた誤差信号が出力されてＰＷＭ回路２５に送られることにより、スイッチング素子１２のオン時間とオフ時間の比率の調節が行われる。
【００３３】
上記の出力電圧Ｖｏｕｔのサンプリングからそのサンプリング結果に基づく移動平均電圧Ｖｆの出力は、クロックパルスの発生毎に繰り返し行われるから、スイッチング素子１２のオン時間とオフ時間の比率の調節もクロックパルスの発生毎に繰り返し行われる。そして、高速クロック周波数でクロックパルスが発生されているので、スイッチング素子１２のオン時間とオフ時間の比率の調節間隔が短いので、短時間で出力電圧Ｖｏｕｔが設定電圧Ｖｒｅｆとなり、素早くデジタルカメラが使用可能状態となる。
【００３４】
例えば電圧検出用のセンサによる検出や、所定の時間が経過することで出力電圧Ｖｏｕｔが設定電圧Ｖｒｅｆに達したことが検知されると、システムコントローラ４は、コントロール信号をＨレベルとする。すると、クロック発生器２６は高速クロック周波数に代えて通常クロック周波数でのクロックパルスの送出を開始する。通常クロック周波数となると、フィードバック制御部２０のクロックパルス毎の動作は高速クロック周波数の場合と同じであるが、デジタルフィルタ２２の遮断周波数が低くなるため、結果として電源装置２は電気的なノイズの影響を受けて出力電圧Ｖｏｕｔが変動にしにくくなる。結果として、撮影機構３の動作が不安定になることもない。
【００３５】
操作部５を操作して、例えば撮影レンズのズーミングや撮影指示をすると、撮影レンズを駆動するためのモータが作動されたり、また撮影で得られる画像データの処理や画像データをメモリに記録するために，電源装置２に対する負荷が高くなり、またそれらの処理が完了すると負荷が低くなるように、負荷が急変する。システムコントローラ４は、このような場合に備えて操作部５の指示に基づき、上記のように負荷が急変する処理を撮影機構３に指示するときには、その指示に先立って、コントロール信号をＬレベルとしてクロック発生器２６に高速クロック周波数でのクロックパルスの送出を指示する。
【００３６】
これにより、図４に示されるように、負荷が増大している期間の前後、すなわち負荷が急変するときに、出力電圧Ｖｏｕｔが低下，上昇しても、前述のようにフィードバック制御部２０は、高速クロック周波数で動作しているから、その電圧変動に速やかに応答して、出力電圧Ｖｏｕｔが設定電圧Ｖｒｅｆとなるようにスイッチング素子１２のオン時間・オフ時間の比率を調節する。結果として、出力電圧Ｖｏｕｔが設定電圧Ｖｒｅｆからずれている時間を短くすることができ、撮影機構３の動作を安定させることができる。
【００３７】
撮影レンズのズーミングや画像データのメモリへの書き込みが完了し、負荷が変動しない状態となると、システムコントローラ４の制御によって通常クロック周波数でのクロックパルスの送出を行う。
【００３８】
以上のようにして、電源装置２の特性を変化させることにより、デジタルカメラの動作に応じた最適な特性を持たせるもとができる。
【００３９】
上記実施形態では、デジタルカメラにスイッチング電源装置を内蔵した例について説明したが、この他にスイッチング電源装置を用いる各種の電子機器に本発明を利用することができる。また、スイッチング電源装置にシステムコントローラによるクロック周波数の制御機能を持たせてクロック周波数を変化させてもよい。
【００４０】
上記実施形態では、クロック周波数を２段階に変化させているが、３段階以上に変化させてもよい。また、出力電圧の変更を行うスイッチング電源装置では、その出力電圧を変更する際にも応答性を高めるためにクロック周波数を高くしてもよい。さらに、上記実施形態では、スイッチング電源装置の起動と同時、負荷変動が発生する前にクロック周波数を高くするようにしているが、出力電圧の変動に応じてクロック周波数を高くするように制御してもよい。
【００４１】
【発明の効果】
以上のように、本発明によれば、ＤＣ変換部の出力電圧をＡ／Ｄ変換器，ローパスフィルタとして機能するのデジタルフィルタ，Ｄ／Ａ変換器を通して得られるアナログ電圧と設定電圧値との差に基づいて、ＤＣ変換部のスイッチング素子のオン時間とオフ時間の比率を調節するとともに、Ａ／Ｄ変換器，デジタルフィルタ及びＤ／Ａ変換器に供給するクロックパルスの周波数を出力電圧の変更または変動時に高くし、あるいは負荷回路の動作に応じて変化するようにしたから、スイッチング電源装置の特性を動的に変化させることができ、出力電圧の変動のとき、出力電圧を変更するときに応答性を高め、また通常時には電気的なノイズの影響を低減して安定した出力電圧を得ることができる。
【図面の簡単な説明】
【図１】本発明を実施したデジタルカメラの構成を示すブロック図である。
【図２】スイッチング電源装置内のデジタルフィルタの構成を示すブロック図である。
【図３】クロック周波数の違いによるデジタルフィルタの周波数特性を示すグラフである。
【図４】スイッチング電源装置の動作を説明するタイミングチャートである。
【図５】従来のスイッチング電源装置の構成を示すブロック図である。
【符号の説明】
２  スイッチング電源装置
３  撮影機構
４  システムコントローラ
１０  ＤＣ変換部
１２  スイッチング素子
２０  フィードバック制御部
２１  Ａ／Ｄ変換器
２２  デジタルフィルタ
２３  Ｄ／Ａ変換器
２４  誤差アンプ
２５  ＰＷＭ回路
【図１】
2005020886.tif 000003
【図２】
2005020886.tif 000004
【図３】
2005020886.tif 000005
【図４】
2005020886.tif 000006
【図５】
2005020886.tif 000007